(57)【要約】【課題】  複数のユニットから構成され、各ユニットを上下に重ねるだけで各ユニットを電気的に接続できかつ機械的に連結できる積層型表示灯および発光装置を提供する。【解決手段】  第１、第２のＬＥＤ２０ａに電源を印加するための第１、第２のリード金具２０ｂを有する第１、第２の基板２０ｃをそれぞれ収容しかつ第１、第２の発光部２Ａをそれぞれ有する第１、第２のユニット２を上下に積層する。第１のリード金具２０ｂの上端２０ｂ２は二股状端部を有している。各ユニット２の積層時には、第１のユニット２の上に第２のユニット２を重ねることで、第２のリード金具２０ｂの下端２０ｂ１が第１のリード金具２０ｂの上端２０ｂ２の二股状端部の間に挿入されて上端２０ｂ２および下端２０ｂ１が電気的に接続されかつ機械的に連結される。【選択図】  図５
2010092597.tif 000002
【特許請求の範囲】
【請求項１】
積層型表示灯であって、
第１の光源を搭載し、かつ前記第１の光源に電源を印加するための第１の導電部材を有する第１の基板が収容された第１のユニットと、
前記第１のユニットの上に配置されるとともに、第２の光源を搭載し、かつ前記第２の光源に電源を印加するための第２の導電部材を有する第２の基板が収容された第２のユニットとを備え、
前記第１のユニットの前記第１の導電部材が前記第１の基板の少なくとも上方に延設され、前記第２のユニットの前記第２の導電部材が前記第２の基板の少なくとも下方に延設されるとともに、前記第１の導電部材の上端および前記第２の導電部材の下端が互いに機械的かつ電気的に接続可能な端部を有しており、前記第１、第２のユニットの組立時には、前記第１のユニットの上に前記第２のユニットを重ねることで、前記第１の導電部材の上端および前記第２の導電部材の下端が前記端部を介して互いに接続されるようになっている、
ことを特徴とする積層型表示灯。
【請求項２】
請求項１において、
前記第１のユニットの前記第１の導電部材が前記第１の基板を上下方向に挿通し、前記第２のユニットの前記第２の導電部材が前記第２の基板を上下方向に挿通している、
ことを特徴とする積層型表示灯。
【請求項３】
請求項１または２において、
前記第１、第２のユニットが楕円筒形状を有している、
ことを特徴とする積層型表示灯。
【請求項４】
請求項１または２において、
前記第１のユニットが環状の第１の発光部を外周に有し、前記第２のユニットが環状の第２の発光部を外周に有しており、
前記第１、第２のユニットの外周部分において前記第１、第２の発光部の間には、リング状部材が設けられている、
ことを特徴とする積層型表示灯。
【請求項５】
請求項４において、
前記リング状部材が遮光性を有する部材であり、
前記第１、第２の光源から出射された光を前記第１、第２のユニットの発光部に向けて反射する反射部をさらに備えている、
ことを特徴とする積層型表示灯。
【請求項６】
発光装置であって、
第１の導電部材を有する第１の基板が収容された第１のユニットと、
前記第１のユニットの上に配置されるとともに、光源を搭載し、かつ前記光源に電源を印加するための第２の導電部材を有する第２の基板が収容された第２のユニットとを備え、
前記第１のユニットの前記第１の導電部材が前記第１の基板の少なくとも上方に延設され、前記第２のユニットの前記第２の導電部材が前記第２の基板の少なくとも下方に延設されるとともに、前記第１の導電部材の上端および前記第２の導電部材の下端が互いに機械的かつ電気的に接続可能な端部を有しており、前記第１、第２のユニットの組立時には、前記第１のユニットの上に前記第２のユニットを重ねることで、前記第１の導電部材の上端および前記第２の導電部材の下端が前記端部を介して互いに接続されるようになっている、
ことを特徴とする発光装置。
【発明の詳細な説明】
【技術分野】
【０００１】
本発明は、積層型表示灯および発光装置に関し、詳細には、複数のユニットから構成され、各ユニットを上下に重ねるだけで各ユニットを電気的に接続できかつ機械的に連結できる積層型表示灯および発光装置に関する。
【背景技術】
【０００２】
複数のユニットを上下に重ねてなる従来の積層型表示灯においては、例えば特開平７−２８２６０５号公報に示すように、ユニット内に内蔵された基板を上下に挿通する導電板を介して各ユニットを電気的に接続している（同公報の段落［００１５］〜［００１６］、ならびに図１および図５参照）。
【０００３】
導電板は、上端が二股状に形成されていて、基板に固定される固定片と、基板を上方に挿通する挿通片とを有するとともに、下端には、基板の下方に湾曲しつつ延びる接続片を有している。
【０００４】
この場合には、各ユニットを上下に重ねると、上側のユニットの湾曲状接続片が弾性変形して下側のユニットの挿通片に弾性的に当接することにより、各ユニットが電気的に接続される。
【特許文献１】特開平７−２８２６０５号公報（段落［００１５］〜［００１６］、ならびに図１および図５参照）
【発明の開示】
【発明が解決しようとする課題】
【０００５】
しかしながら、前記従来の構成では、各ユニットを上下に重ねた際に、上側のユニットの湾曲状接続片が下側のユニットの挿通片の先端に弾性的に当接しているだけなので、各ユニットを積層した後、係止爪等の係止手段やその他の機械的な固定手段を用いてすぐに各ユニットを機械的に連結しなければ、各ユニットが簡単に外れてしまう恐れがある。
【０００６】
本発明は、このような従来の実情に鑑みてなされたもので、本発明が解決しようとする課題は、各ユニットを上下に重ねるだけで各ユニットを電気的に接続できかつ機械的に連結できる積層型表示灯および発光装置を提供することにある。また、本発明は、このような積層型表示灯および発光装置において機能性を向上させようとしている。
【課題を解決するための手段】
【０００７】
請求項１の発明に係る積層型表示灯は、第１の光源を搭載しかつ第１の光源に電源を印加するための第１の導電部材を有する第１の基板が収容された第１のユニットと、第１のユニットの上に配置されるとともに、第２の光源を搭載しかつ第２の光源に電源を印加するための第２の導電部材を有する第２の基板が収容された第２のユニットとを備えている。第１のユニットの第１の導電部材が第１の基板の少なくとも上方に延設され、第２のユニットの第２の導電部材が第２の基板の少なくとも下方に延設されており、第１の導電部材の上端および第２の導電部材の下端が互いに機械的かつ電気的に接続可能な端部を有している。第１、第２のユニットの組立時には、第１のユニットの上に第２のユニットを重ねることで、第１の導電部材の上端および第２の導電部材の下端が前記端部を介して互いに接続されるようになっている。
【０００８】
請求項１の発明によれば、第１の導電部材の上端および第２の導電部材の下端が互いに機械的かつ電気的に接続可能な端部を有しているので、第１、第２のユニットの組立時には、各ユニットを上下に重ねただけで、前記端部を介して、各ユニットを電気的に接続できるばかりでなく、各ユニットを機械的に連結できるようになる。
【０００９】
なお、上述した特許文献１に記載のものにおいては、導電板の上端の二股状部分は、反射鏡の一部を挟持するために用いられているのであって（同公報の段落［００１５］参照）、各ユニットを連結するために用いられているのではない。
【００１０】
請求項２の発明では、請求項１において、第１のユニットの第１の導電部材が第１の基板を上下方向に挿通し、第２のユニットの第２の導電部材が第２の基板を上下方向に挿通している。
【００１１】
この場合には、第１のユニットの下方のみならず、第２のユニットの上方にも、他のユニットを接続することができ、多段式の積層型表示灯を実現できる。
【００１２】
請求項３の発明では、請求項１または２において、第１、第２のユニットが横断面楕円形状を有している。
【００１３】
この場合には、各ユニットを周方向に位置決めするための突起や孔、溝等が不要になって、構造を簡略化できる。
【００１４】
請求項４の発明では、請求項１または２において、第１のユニットが環状の第１の発光部を外周に有し、第２のユニットが環状の第２の発光部を外周に有しており、第１、第２のユニットの外周部分において第１、第２の発光部の間には、リング状部材が設けられている。
【００１５】
この場合には、第１、第２の発光部間に配置したリング状部材に遮光性または透光性等の各種機能を持たせることで、表示灯としての機能性を向上できる。
【００１６】
請求項５の発明では、請求項４において、リング状部材が遮光性を有する部材であり、第１、第２の光源から出射された光を第１、第２のユニットの発光部に向けて反射する反射部をさらに備えている。
【００１７】
この場合には、リング状部材に遮光性を持たせると同時に反射部を設けたので、各光源から出射してリング状部材に入射した光を発光部に戻すことができ、これにより、各光源から出射した光を第１、第２の発光部に集光して第１、第２の発光部のみから放光させることができる。これにより、発光部の発光効率を向上でき、表示灯としての視認性を向上できる。
【００１８】
請求項６の発明に係る発光装置は、第１の導電部材を有する第１の基板が収容された第１のユニットと、第１のユニットの上に配置されるとともに、光源を搭載しかつ光源に電源を印加するための第２の導電部材を有する第２の基板が収容された第２のユニットとを備えている。第１のユニットの第１の導電部材が第１の基板の少なくとも上方に延設され、第２のユニットの第２の導電部材が第２の基板の少なくとも下方に延設されるとともに、第１の導電部材の上端および第２の導電部材の下端が互いに機械的かつ電気的に接続可能な端部を有している。第１、第２のユニットの組立時には、第１のユニットの上に第２のユニットを重ねることで、第１の導電部材の上端および第２の導電部材の下端が前記端部を介して互いに接続されるようになっている。
【００１９】
請求項６の発明によれば、第１の導電部材の上端および第２の導電部材の下端が互いに機械的かつ電気的に接続可能な端部を有しているので、第１、第２のユニットの組立時には、各ユニットを上下に重ねただけで、前記端部を介して、各ユニットを電気的に接続できるばかりでなく、各ユニットを機械的に連結できるようになる。
【発明の効果】
【００２０】
以上のように、本発明に係る積層型表示灯および発光装置によれば、第１の導電部材の上端および第２の導電部材の下端が互いに機械的かつ電気的に接続可能な端部を有しているので、第１、第２のユニットの組立時には、各ユニットを上下に重ねただけで、前記端部を介して、各ユニットを電気的に接続できるばかりでなく、各ユニットを機械的に連結できるようになる効果がある。
【発明を実施するための最良の形態】
【００２１】
以下、本発明の実施例を添付図面に基づいて説明する。
図１ないし図１２は、本発明の一実施例による積層型表示灯を説明するための図であって、図１（ａ）は本発明の一実施例による積層型表示灯の正面図、同図（ｂ）はその平面図、図２は積層型表示灯（図１）の側面図、図３は積層型表示灯の分解組立部分図、図４は積層型表示灯を構成するレンズユニット（ユニット）の内部構造を示す分解組立図、図５は図２のV-V 線に沿った積層型表示灯の縦断面部分図、図６ないし図１２は積層型表示灯の外周に装着されるスペーサ（リング状部材）の種々の変形例を示す図である。なお、ここでは、光源として、ＬＥＤ（発光ダイオード）を例にとって説明するが、本発明は他の光源にも同様に適用可能である。また、図５の断面図においては、図示の便宜上、ハッチングを省略して示している。
【００２２】
図１ないし図３に示すように、積層型表示灯１は、上下に積層された各々楕円筒形状の複数のレンズユニット２と、最下段のレンズユニット２を下方から支持するスタンド（スタンドユニット）３と、最上段のレンズユニット２の上部に装着された楕円筒形状のキャップ４とから主として構成されている。なお、図１および図２では、５個のレンズユニット２が積層されたものが示されているが、図３では、これらのレンズユニット２のうち、最上段と最下段の２つのレンズユニット２のみを示している。また、レンズユニット２の個数は、図１および図２に示されるものに限定されないことはいうまでもない。
【００２３】
各レンズユニット２は、内部のＬＥＤから出射された光が放光される発光部２Ａをそれぞれ有している。各発光部２Ａは、透光性を有する樹脂製部材から構成されており、それぞれ赤色、緑色または黄色等の色光を発光するように例えば着色されている。当該積層型表示灯１がロボットを含む生産ラインなどで用いられる場合、典型的な表示例としては、例えば、赤色が異常停止状態を示し、緑色が正常運転状態を示し、黄色がワーク切れの状態を示すように用いられる。
【００２４】
各レンズユニット２の下部外周には、楕円筒形状のスペーサ（リング状部材）５が装着されている。また、各レンズユニット２の上部外周には周溝が形成されており、当該周溝にはパッキン６が装着されている。パッキン６は、レンズユニット内部に外部から水分が浸入するのを防止している。
【００２５】
スタンド３は、楕円筒形状のリードホルダ部３０と、その下部に一体に形成された円板状のスタンドベース部３１とを有している。スタンドベース部３１には、円周上に複数（ここでは４個）の貫通孔が等間隔に形成されており、これらの貫通孔にはそれぞれ取付ボルト３５が挿入されている。スタンドベース部３１の下面からは、各ＬＥＤに電源電圧（電源電流）を印加するための給電用の複数のリード線３６が延びている。各リード線３６の上部はリードホルダ部３０の内部の基板３８に保持されている（図５参照）。
【００２６】
概略楕円板状の基板３８には、図５に示すように、複数のリード金具（導電部材）３７が取り付けられている。これらのリード金具３７はリード線３６に電気的に接続されており、リード線３６からの電源電圧をレンズユニット２へ供給するためのものである。リード金具３７は基板３８の少なくとも上方に延設されていればよいが、図５の例では、リード金具３７が基板３８を上下に挿通している場合を示しており、基板３８下方の下端３７ｂ１はリード線３６に電気的に接続されている。
【００２７】
リード金具３７の上端３７ｂ２は二股状に形成されている。スタンド３上にレンズユニット２を重ねたとき、上側のレンズユニット２のリード金具２０ｂの下端２０ｂ１が、下側のスタンド３のリード金具３７の上端３７ｂ２の二股状部分に挿入されて、当該二股状部分で弾性的に挟持されるようになっている。
【００２８】
上述したように、積層型表示灯１のキャップ４、レンズユニット２、スペーサ５およびリードホルダ部３０がいずれも楕円筒形状に形成されていることにより、スタンドベース部３１を除く積層型表示灯全体が軸方向に延びる楕円筒形状に形成されている。すなわち、横断面楕円形状の表示灯１の短軸方向の厚みｗは、長軸方向の厚みＷよりも小さくなっている（図１（ａ）参照）。
【００２９】
なお、スタンド３、キャップ４およびスペーサ５はいずれも、ＬＥＤから出射された光が外部に漏れないように、遮光性の樹脂製部材から構成されている。
【００３０】
図４に示すように、各レンズユニット２は、概略楕円板状の基板２０ｃを含む基板ユニット２０と、その下方に配置され、基板ユニット２０を下方から支承するベースユニット２１と、基板ユニット２０およびベースユニット２１を収容するレンズ本体２２とを有している。
【００３１】
基板２０ｃには、当該基板の楕円形状の外周に沿って複数のＬＥＤ２０ａが搭載されるとともに、複数のリード金具（導電部材）２０ｂが取り付けられている。これらのリード金具２０ｂは、対応するＬＥＤ２０ａに、スタンドベース部３１の給電用のリード線３６からの電源電圧（電源電流）を印加するためのものであって、基板２０ｃを上下に挿通している。
【００３２】
リード金具２０ｂの下端２０ｂ１は平板状に形成され、上端２０ｂ２は二股状に形成されている。各レンズユニット２を上下に重ねたとき、上側のレンズユニット２のリード金具２０ｂの下端２０ｂ１が、下側のレンズユニット２のリード金具２０ｂの上端２０ｂ２の二股状部分に挿入されて当該二股状部分で弾性的に挟持されるようになっている（図５参照）。
【００３３】
基板２０ｃの中央には係止孔２０ｄが形成されており、同様に、レンズ本体２２の中央には係止孔２２ａが形成されている。一方、ベースユニット２１の中央には、上方に突出する係止突起２１ａが設けられており、係止突起２１ａは、基板２０ｃの係止孔２０ｄおよびレンズ本体２２の係止孔２２ａに下方から挿入されて係止されている。
【００３４】
レンズ本体２２は、その軸方向中央部の外周に環状の発光部２Ａを有している。レンズ本体２２の下部２２ｂの外周には、スペーサ５が装着されている。一方、レンズ本体２２の上部２２ｃの外周には、当該レンズユニット２の上側に配置されるレンズユニット２の下部外周のスペーサ５、またはキャップ４が配置される。
【００３５】
この構成により、各レンズユニット２の外周部分において、発光部２Ａ以外の部分（上下に隣り合う各発光部２Ａの間の部分含む）は、スペーサ５またはキャップ４からなる遮光性部材で覆われることになる。
【００３６】
次に、上述のように構成される積層型表示灯１の組立ての際には、スペーサ５を装着した各レンズユニット２を積み重ねた後、最下段のレンズユニット２をスタンド３の上に重ね、最上段のレンズユニット２の上にキャップ４を装着する。あるいは、スタンド３の上に、スペーサ５を装着した最下段のレンズユニット２を重ね、次に、最下段のレンズユニット２の上に、スペーサ５を装着した第２段目のレンズユニット２を重ね、以下、順に、スペーサ５を装着した各レンズユニット２を積み重ねた後、最上段のレンズユニット２の上にキャップ４を装着するなどして、組立てを行なう。
【００３７】
これらいずれの場合においても、下側のレンズユニット２の上に上側のレンズユニット２を重ねたとき、上側のレンズユニット２のリード金具２０ｂの下端２０ｂ１は、下側のレンズユニット２のリード金具２０ｂの上端２０ｂ２の二股状部分の間に挿入されて当該二股状部分で弾性的に挟持される（図５参照）。同様に、最下段のレンズユニット２をスタンド３の上に重ねたとき、最下段のレンズユニット２のリード金具２０ｂの下端２０ｂ１は、スタンド３のリードホルダ部３０の内部において、リード金具３７の上端の二股状部分の間に挿入されて当該二股状部分で弾性的に挟持される（同図参照）。
【００３８】
このようにして、各レンズユニット２を上下に重ねただけで、各レンズユニット２を電気的に接続できるばかりでなく、各レンズユニット２を機械的に連結できるようになる。なお、図５に示す例では、各レンズユニット２同士の連結をより強固にしかつ各レンズレンズユニット２をスタンド３に強固に固定するために、各レンズユニット２を上下に挿通する通しボルト６が設けられている。
【００３９】
また、各レンズユニット２の外周部分において各発光部２Ａ以外の部分は、それぞれ遮光性を有するスタンド３、キャップ４、スペーサ５で覆われているので、各レンズユニット２の各発光部２Ａのみから放光されることになり、逆の言い方をすれば、各発光部２Ａ以外の部分からは放光されることがなくなり、これにより、表示灯１としての視認性を向上できる。
【００４０】
さらに、キャップ４、レンズユニット２、スペーサ５およびリードホルダ部３０がいずれも楕円筒形状に形成されていることにより、これらを組み立てる際には、各部品を周方向に位置決めすることなく単に上下に嵌合するだけでよく、これにより、各レンズユニット２を周方向に位置決めするための突起や孔、溝等が不要になって、構造を簡略化できる。また、組立時に周方向の面倒な位置決めが不要になって組立てが容易になることにより、組立ての際に、各部品の嵌合部分を傷めたり、リード金具を損傷したりすることがなくなり、組立時の信頼性を向上できる。
【００４１】
また、表示灯を楕円筒形状にしたことにより、短軸方向の厚みを薄くすることができ、これにより、全体をスリム化することが可能になる。したがって、表示灯を含めて、表示灯が取り付けられる機械や装置全体のスリム化が要求される場合には、機械や装置の正面に表示灯の側面（図２）を向けるようにすればよい。これに対して、機械や装置全体のスリム化がそれ程要求されない場合には、取り付けられる表示灯の正面（図１）を機械や装置の正面に向けるようにすれば、表示灯の視認性が向上する。なお、表示灯のスタンドベース部３１には、取付ボルト挿入用の４個の貫通孔が円周上に等間隔に形成されているので、スタンドベース部３１を９０度回転させることにより、表示灯の向きを簡単に変えることができる。
【００４２】
前記実施例では、スペーサ５が遮光性を有する単なる楕円筒状部材である場合を例にとって説明したが、本発明は、スペーサ５に遮光性以外の各種機能を持たせることにより、表示灯としての機能性を向上させるようにしてもよい。
【００４３】
図６ないし図１２は、このような各種機能を有するスペーサを含む積層型表示灯を示しており、図６ないし図８の（ａ）、図９および図１２は積層型表示灯の正面部分図、図６ないし図８の（ｂ）、図１０および図１１は積層型表示灯の縦断面図である。なお、これらの図において、前記実施例と同一符号は同一または相当部分を示している。また、各図において、各レンズユニット２を上下に連結するリード金具２０ｂは、図示の便宜上、二股状部を示さずに、簡略化して示している。
【００４４】
図６に示す例では、遮光性のスペーサ５の内周面に傾斜面（反射部）５ａが形成されている。傾斜面５ａは、入射した光を反射させるために、白色に着色されており、または鏡面に仕上げられている。同様に、遮光性のキャップ４の内周面にも傾斜面（反射部）４ａが形成されており、傾斜面４ａは、入射した光を反射させるために、白色に着色されており、または鏡面に仕上げられている。
【００４５】
この場合には、ＬＥＤ２０ａから出射してスペーサ５またはキャップ４に入射した光を傾斜面５ａ、４ａで反射させてレンズユニット内部に戻すことができ、これにより、ＬＥＤ２０ａから出射した光を発光部２Ａに集光させて発光部２Ａのみから放光させることができる。これにより、発光部２Ａの発光効率を向上でき、表示灯としての視認性を向上できる。また、この場合には、スペーサ５をリフレクタ（反射板）として用いることができ、これにより、リフレクタを別途設ける必要がなくなって、部品点数を削減でき、コストを低減できる。
【００４６】
図７に示す例では、遮光性を有するスペーサ５が、各レンズユニット２の内部に延設された延設部５０、５１を有している。これら延設部５０、５１は、ＬＥＤ２０ａから出射された光が当該基板２０ｃの上方および下方の各基板２０ｃに照射されるのを防止するための部材である。
【００４７】
この場合には、遮光性を有するスペーサ５の延設部５０、５１により、或るＬＥＤ２０ａから出射した光が当該ＬＥＤ２０ａの上方および下方の他のＬＥＤ２０ａの発光部２Ａに到達するのを防止でき、これにより、上下に隔てられた各ＬＥＤ２０ａの各色光が互いに混ざり合うのを防止できる。
【００４８】
図８に示す例では、各レンズユニット２が円筒形状を有しており、遮光性を有する円筒形状のスペーサ５が各レンズユニット２の外周部分に回転自在に設けられている。スペーサ５は、レンズユニット２の内部において周方向に延設された延設部５３を有しており、延設部５３の一部には、歯部が形成されている。一方、基板２０ｃには、ＬＥＤ２０ａの光度調整や切換えを行なうための回転可能なボリューム部材（スイッチ部材）７が設けられている。ボリューム部材７の端部７ａの外周には、歯部が形成されており、当該歯部は延設部５３の歯部と噛み合っている。
【００４９】
この構成により、スペーサ５を回転させると、延設部５３の歯部を介してボリューム部材７が回転し、その結果、ＬＥＤ２０ａの光度が調整されたり、ＬＥＤ２０ａの点灯状態の切換えが行われたりするようになっている。
【００５０】
また、この場合、回転するボリューム部材のかわりに、押しボタン式のプッシュスイッチやスライド式のスライドスイッチを用い、これらのスイッチを駆動するようにスペーサの延設部を設けるようにしてもよい。
【００５１】
図９に示す例では、遮光性を有するスペーサ５の外周面に銘板が貼着されている。ここでは、「停止」および「運転」という２種類の銘板の例を示している。なお、銘板を直接貼着するかわりに、スペーサ５の外周面に文字を直接印刷するようにしてもよい。
【００５２】
図１０に示す例では、スペーサ５が透光性を有する部材であって、スペーサ５と各ユニット２の外周部分との間に記名シート８が介装されている。
【００５３】
この場合には、記名シート８の記載内容を透光性のスペーサ５を通して外部から見ることができ、これにより、各発光部２Ａの点灯時には、発光部２Ａの点灯による表示内容を容易に確認できるようになる。
【００５４】
図１１に示す例では、遮光性を有するスペーサ５として、ゴム系の材料が用いられている。この場合には、レンズユニット２の内部に水分が浸入するのをスペーサ５により防止でき、これにより、シール用のパッキンを別途設ける必要がなくなって、部品点数を削減でき、コストを低減できる。
【００５５】
図１２に示す例では、スペーサ５が透光性を有する部材であって、レンズユニット２の外周面に沿って上下方向にスライド自在に設けられている。各スペーサ５は、レンズユニット２の発光部２Ａの下方に配置される下方位置（図１２（ａ）参照）と、下方位置の上方に配置され、発光部２Ａとオーバラップして発光部２Ａを覆う上方位置（同図（ｂ）参照）とをとり得るようになっている。各スペーサ５には、ローレット目が施されている。これは、各ＬＥＤ２０ａから出射された光を拡散させるためである。また、基板２０ｃ上において各ＬＥＤ２０ａの前方には、各ＬＥＤ２０ａから出射された光を集光させるためのレンズ９が設けられている。
【００５６】
この場合には、スペーサ５を下方位置に配置した状態で、ＬＥＤ２０ａを駆動すると、ＬＥＤ２０ａから出射された光はレンズ９で集光されるので、スポット照光を行なうことができる。また、スペーサ５を上方にスライドさせて上方位置に配置した状態で、ＬＥＤ２０ａを駆動すると、ＬＥＤ２０ａから出射された光は、レンズ９で集光された後、スペーサ５を透過し、このとき、スペーサ５のローレット目で拡散されるので、拡散照光を行なうことができる。このようにして、表示灯としての機能性を向上できる。
【００５７】
前記実施例では、各レンズユニット２が楕円筒形状のものを例にとって説明したが、本発明に係るレンズユニットは、図８の例で説明したように、円筒形状でもよく、また、その他の任意の形状のものにも適用可能である。
【００５８】
前記実施例では、多段式（図１、図２では５段式）の表示灯を構成するために、リード金具２０ｂが基板２０ｃを上下に挿通している例を示したが、本発明に係る積層型表示灯が２つのレンズユニットから構成される場合には、上側のレンズユニットについては、リード金具は基板の少なくとも下方に延設されていれば十分であり、また下側のレンズユニットについては、リード金具は基板の少なくとも上方に延設されていれば十分である。なお、この場合、下側のレンズユニットのリード金具については、基板の下方にも延設されている方が、給電用のスタンド３との電気的接続を簡単に行なえる点で好ましい。
【００５９】
前記実施例では、リード金具２０ｂの下端２０ｂ１が平板状に形成され、上端２０ｂ２（およびリード金具３７の上端３７ｂ２）が二股状に形成された例を示したが、本発明においては、リード金具２０ｂの下端２０ｂ１が二股状に形成され、上端２０ｂ２（およびリード金具３７の上端３７ｂ２）が平板状に形成されていてもよい。
【００６０】
また、本発明においては、第１および第２の導電部材は、互いに機械的かつ電気的に接続可能な端部を有していればよく、上述した二股状の端部以外の端部であってもよい。
【００６１】
なお、図４に示した例では、基板２０ｃの中央部から離れた位置にＬＥＤ２０ａを配置するとともに、基板２０ｃの中央部寄りの位置にリード金具２０ｂを配置するようにしたが、これとは逆に、基板２０ｃの中央部寄りの位置にＬＥＤ２０ａを配置するとともに、基板２０ｃの中央部から離れた位置にリード金具２０ｂを配置するようにしてもよい。
【００６２】
図６の実施例においては、反射部が傾斜面５ａとしてスペーサ５に設けられた例を示したが、この反射部は、スペーサ５から分離独立した部材として、レンズユニット２内に設けるようにしてもよい。
【００６３】
また、反射部は、ＬＥＤ２０ａから出射された光をレンズユニット２の発光部２Ａに向けて反射すればよく、図６に示したように、ＬＥＤ２０ａから出射された光をレンズユニット２の内側に向けて反射し、レンズユニット２内部を介して間接的に発光部２Ａに入射する場合の他、ＬＥＤ２０ａから出射された光をレンズユニット２の外側に向けて反射し、レンズユニット２内部を介さずに直接的に発光部２Ａに入射するようにしてもよい。
【００６４】
次に、図１３、図１４は、積層型表示灯の取付ボルトの向きが前記実施例のものとは異なる例を示しており、図１３（ａ）は当該積層型表示灯の正面図、（ｂ）はその平面図、図１４は当該積層型表示灯の側面図である。これらの図において、前記実施例と同一符号は同一または相当部分を示している。
【００６５】
前記実施例では、スタンド３のスタンドベース部３１が、リードホルダ部３０の下部において、その取付面を下向きにして取り付けられていたが、図１３および図１４に示すものでは、スタンド３のスタンドベース部３１が、リードホルダ部３０の下部において、その取付面を横向きにして取り付けられている。
【００６６】
いずれの向きのスタンドベース部３１を備えた積層型表示灯を用いるかは、積層型表示灯が取り付けられる機械または装置の取付面の向きや取付作業のスペース等に応じて適宜決定される。
【００６７】
なお、本発明は、上述した積層型表示灯の他、例えば照明器具のような発光装置にも同様に適用可能である。
【図面の簡単な説明】
【００６８】
【図１】（ａ）は本発明の一実施例による積層型表示灯の正面図、（ｂ）はその平面図である。
【図２】積層型表示灯（図１）の側面図である。
【図３】積層型表示灯（図１）の分解組立部分図である。
【図４】積層型表示灯（図１）を構成するレンズユニットの内部構造を示す分解組立図である。
【図５】図２のV-V線断面部分図である。
【図６】（ａ）はスペーサの第１の変形例を含む積層型表示灯の正面部分図、（ｂ）はその縦断面部分図である。
【図７】（ａ）はスペーサの第２の変形例を含む積層型表示灯の正面部分図、（ｂ）はその縦断面部分図である。
【図８】（ａ）はスペーサの第３の変形例を含む積層型表示灯の正面部分図、（ｂ）はその縦断面部分図である。
【図９】スペーサの第４の変形例を含む積層型表示灯の正面部分図である。
【図１０】スペーサの第５の変形例を含む積層型表示灯の縦断面部分図である。
【図１１】スペーサの第６の変形例を含む積層型表示灯の縦断面部分図である。
【図１２】（ａ）はスペーサの第７の変形例を含む積層型表示灯の正面部分図、（ｂ）は当該スペーサが上方に移動した状態を示す正面部分図である。
【図１３】（ａ）は前記実施例とは取付ボルトの向きが異なる積層型表示灯の正面図、（ｂ）はその平面図である。
【図１４】積層型表示灯（図１３）の側面図である。
【符号の説明】
【００６９】
１：  積層型表示灯
２：  レンズユニット（ユニット）
２Ａ：  発光部
２０ａ：  ＬＥＤ（光源）
２０ｂ：  リード金具（導電部材）
２０ｂ１：  下端
２０ｂ２：  上端（二股状端部）
２０ｃ：  基板
５：  スペーサ（リング状部材）
７：  ボリューム部材（スイッチ部材）
８：  記名シート
【図１】
2010092597.tif 000003
【図２】
2010092597.tif 000004
【図３】
2010092597.tif 000005
【図４】
2010092597.tif 000006
【図５】
2010092597.tif 000007
【図６】
2010092597.tif 000008
【図７】
2010092597.tif 000009
【図８】
2010092597.tif 000010
【図９】
2010092597.tif 000011
【図１０】
2010092597.tif 000012
【図１１】
2010092597.tif 000013
【図１２】
2010092597.tif 000014
【図１３】
2010092597.tif 000015
【図１４】
2010092597.tif 000016